(57)【要約】      （修正有）【課題】蓋を開放状態に保持することができる収納ボックスを提供する。【解決手段】収納ボックスは箱体２０および蓋５０を備える。箱体は収納空間と、収納空間に連絡する収納口部と、収納口部の一側に沿って配置された第一接続部４４とを有する。蓋は箱体に装着され、かつ一側に配置された第二接続部５２を有する。一方の接続部は、弾性片部が形成され、内側に突起部を有する湾曲フックから構成され、他方の接続部は、湾曲フック内部に回転可能に保持される回転軸から構成される。【選択図】図１
0003175462.tif 000002
【実用新案登録請求の範囲】
【請求項１】
収納空間と、前記収納空間に連絡する収納口部と、前記収納口部の一側に沿って配置された第一接続部と、前記第一接続部に形成された第一係合部とを有する箱体と、
一側に配置された第二接続部および前記第二接続部に形成された第二係合部を有する蓋と、を備え、
前記第二接続部と前記箱体の前記第一接続部とは相互に噛み合い、
前記蓋の前記第二係合部と前記箱体の前記第一係合部とが分離する際、前記蓋は前記箱体に対し、閉合位置まで回転し、前記収納口部を遮蔽することができ、
前記蓋の前記第二係合部と前記箱体の前記第一係合部とが相互に当接する際、前記蓋は開放位置に固定され、前記箱体に対する回転ができないため、収納空間は開放状態に保持されることを特徴とする収納ボックス。
【請求項２】
前記箱体は、ボディー部およびキャップを有し、前記ボディー部は前記収納空間および前記収納口部を有し、前記キャップは前記ボディー部に装着され、かつ一側に前記第一接続部および前記第一係合部を有することを特徴とする請求項１に記載の収納ボックス。
【請求項３】
前記ボディー部は、さらに周りに形成された突出縁部と、前記突出縁部を陥没させて形成した欠け口とを有し、前記キャップはさらに周りに形成された拡張片部と、前記拡張片部の内側面に突出して形成された突起部とを有し、前記キャップの前記拡張片部は前記ボディー部の前記欠け口に装着され、前記キャップの前記突起部は前記ボディー部の突出縁部に係止されることを特徴とする請求項２に記載の収納ボックス。
【請求項４】
前記箱体の前記第一接続部は、湾曲フックから構成され、前記湾曲フックは内側面に相互に向かい合って突出して形成された二つの突起部を有し、前記蓋の前記第二接続部は回転軸から構成され、前記回転軸は前記湾曲フックの内部に差し込まれ、二つの前記突起部に係止されることで前記湾曲フックと結合し、前記蓋の前記第二係合部は前記回転軸の表面に突出して形成された線状突起部であり、前記蓋は穿孔を有し、前記穿孔は前記回転軸に隣接し、かつ前記湾曲フックの貫通に用いられることを特徴とする請求項１または請求項２に記載の収納ボックス。
【請求項５】
前記箱体の前記第一接続部は、スリットと、前記スリットの内縁部に沿って形成された弾性片部と、前記弾性片部の末端を前記第一接続部の内側面に突出させて形成した前記第一係合部とを有することを特徴とする請求項４に記載の収納ボックス。
【考案の詳細な説明】
【技術分野】
【０００１】
本考案は、収納ボックスに関し、詳しくは蓋を開放状態に保持できる収納ボックスに関するものである。
【背景技術】
【０００２】
市販のよく見掛けられている収納ボックスは、物の収納に用いる収納空間を有し、かつ外部の埃が収納空間に入り込み、内部の物に付着するか、或いは内部の物の不快な匂いが外部に漏れることを防止するために、収納空間の開口部に対応する蓋を有する。蓋を閉じると収納空間が密閉状態になる。使用の際に蓋を開ければ収納空間に物を収めることができる。
【０００３】
従来の蓋の設計は、トルクスプリングによって蓋を開けたり自動復帰させたりする効果を達成することである。しかしながら、従来の蓋は位置決め構造が設計されなかったため、収納空間に収める物の数が多過ぎると、絶えず蓋を開け閉めするか、或いは片手で蓋を開放状態に保持しなければならない。従って上述した通り、従来の収納ボックスは使用に非常に不便であることが判明した。
【考案の概要】
【考案が解決しようとする課題】
【０００４】
本考案は、蓋を開放状態に保持することによって収納の便をはかることが可能な収納ボックスを提供することを主な目的とする。
【課題を解決するための手段】
【０００５】
上述の目的を達成するために、本考案による収納ボックスは、箱体および蓋を備える。箱体は収納空間と、収納空間に連絡する収納口部と、収納口部の一側に沿って配置された第一接続部と、第一接続部に形成された第一係合部とを有する。蓋は一側に配置された第二接続部および第二接続部に形成された第二係合部を有する。蓋の第二接続部と箱体の第一接続部とは相互に噛み合う。蓋の第二係合部と箱体の第一係合部とが分離する際、蓋は箱体に対し、閉合位置まで回転し、収納口部を遮蔽することができる。蓋の第二係合部と箱体の第一係合部とが相互に当接する際、蓋は開放位置に固定され、箱体に対する回転ができないため、収納空間は開放状態に保持される。このとき収納空間に物を容易に収めることができる。
【０００６】
箱体の第一接続部は湾曲フックから構成され、湾曲フックは内側面に相互に向かい合って突出して形成された二つの突起部を有する。蓋の第二接続部は回転軸から構成され、回転軸は湾曲フックの内部に差し込まれ、二つの突起部に係止されることで湾曲フックと結合する。蓋の第二係合部は回転軸の表面に突出して形成された線状突起部である。蓋は回転軸に隣接する穿孔を有し、穿孔は湾曲フックの貫通に用いられる。
【０００７】
箱体の第一接続部は、スリットと、スリットの内縁部に沿って形成された弾性片部と、弾性片部の末端を第一接続部の内側面に突出させて形成した第一係合部とを有することが比較的好ましい。
【図面の簡単な説明】
【０００８】
【図１】本考案の一実施形態による収納ボックスにおいて蓋が閉合位置に据えられた状態を示す斜視図である。
【図２】本考案の一実施形態による収納ボックスを示す分解斜視図である。
【図３】本考案の一実施形態による収納ボックスの一部分を示す分解斜視図である。
【図４】図３の４−４線に沿った断面図である。
【図５】本考案の一実施形態による収納ボックスにおいてボディー部とキャップとが結合した状態を示す部分断面図である。
【図６】図３の６−６線に沿った図である。
【図７】本考案の一実施形態による収納ボックスにおいて蓋の第二係合部と箱体の第一係合部とが分離する状態を示す部分断面図である。
【図８】本考案の一実施形態による収納ボックスにおいて蓋の第二係合部と箱体の第一係合部とが相互に当接する状態を示す部分断面図である。
【図９】本考案の一実施形態による収納ボックスにおいて蓋が開放位置に据えられた状態を示す斜視図である。
【図１０】本考案の一実施形態による収納ボックスが積み重なる状態を示す斜視図である。
【考案を実施するための形態】
【０００９】
以下、本考案による収納ボックス１０を図面に基づいて説明する。
【実施例】
【００１０】
図１に示すように、本考案の一実施形態による収納ボックス１０は、箱体２０および蓋５０を備える。
【００１１】
図２に示すように、箱体２０は、ボディー部３０およびキャップ４０を有する。ボディー部３０は内部に形成された収納空間３２と、収納空間３２に連絡するように収納空間３２の一側に形成された収納口部３４と、収納口部３４の周りに沿って配置された突出縁部３６と、突出縁部３６を陥没させて形成した複数の欠け口３８とを有する。キャップ４０は周りに形成された複数の拡張片部４２を有し、拡張片部４２はボディー部３０上の欠け口３８に装着される。
図５に示すように拡張片部４２は内側面に突出して形成された第一突起部４２２を有する。第一突起部４２２はボディー部３０の突出縁部３６に係止されることでキャップ４０とボディー部３０とを結合させる。またキャップ４０は一側に複数の第一接続部４４を有する。
図３および図４に示すように、本実施形態において、第一接続部４４は湾曲フックから構成され、湾曲フックは内側面に二つずつ相互に向かい合って突出して形成された四つの第二突起部４４１を有する。また第一接続部４４は頂面に形成されたスリット４４３と、スリット４４３の内縁部に沿って形成された弾性片部４６と、弾性片部４６の末端を第一接続部４４（湾曲フック）の内側面に突出させて形成した第一係合部４８とを有する。
【００１２】
蓋５０は、一側に第二接続部５２を有する。本実施形態において、図７に示すように第二接続部５２は回転軸から構成され、回転軸は第一接続部４４（湾曲フック）の内部に差し込まれ、第二突起部４４１に係止されることでキャップ４０の第一接続部４４（湾曲フック）と結合する。
図３および図６に示すように回転軸の表面に突出して形成された複数の線状突起部は第二係合部５４を構成する。蓋５０は回転軸に隣接するあたりに複数の穿孔５６を有する。蓋５０が回転する際、第一接続部４４（湾曲フック）は穿孔５６を貫通する。
従って、図７に示すように蓋５０の第二係合部５４と箱体２０の第一係合部４８とが分離する際、蓋５０は箱体２０に対して上下に回転し、かつ閉合位置Ｐ１まで回転し、収納口部３４を遮蔽することができる。このとき収納空間３２は密閉状態になる。図８に示すように蓋５０の第二係合部５４と箱体２０の第一係合部４８とが相互に当接する際、蓋５０は図９に示すように開放位置Ｐ２に固定され、箱体２０に対する回転ができない。このとき蓋５０は収納口部３４を遮蔽できないため、収納空間３２は開放状態に保持される。
【００１３】
箱体２０の収納空間３２に物を収める際、蓋５０を開けて蓋５０の第二係合部５４と箱体２０の第一係合部４８とを相互に当接させれば蓋５０を開放位置Ｐ２に固定することができる。このとき収納空間３２に物を収めることができる。またあらゆる物の収納が完了した後、蓋５０の第二係合部５４と箱体２０の第一係合部４８との当接状態を解除すれば、蓋５０を閉合位置Ｐ１まで復元させることができる。
このとき収納空間３２は密閉状態になる。上述した通り、本考案による収納ボックス１０は従来の蓋が開けられると自動復帰することが原因で収納に不便であるという問題を効果的に解決できるだけでなく、単独で使用されでも図１０に示すように積み重なって使用されてもよいため、利便性および実用性を有する。
【００１４】
また、本考案は、箱体２０の第一接続部４４を湾曲フックに設計し、蓋５０の第二接続部５２を回転軸に設計する方式に限らず、両者の構造を相互に入れ替えることができる。つまり、箱体２０の第一接続部４４を回転軸に設計し、蓋５０の第二接続部５２を湾曲フックに設計し、両者を相互に結合させれば、本考案の目的を達成することができる。
【００１５】
以上、本考案は、上記実施形態になんら限定されるものではなく、考案の趣旨を逸脱しない範囲において種々の形態で実施可能である。
【符号の説明】
【００１６】
１０：収納ボックス、
２０：箱体、
３０：ボディー部、
３２：収納空間、
３４：収納口部、
３６：突出縁部、
３８：欠け口、
４０：キャップ、
４２：拡張片部、
４２２：第一突起部、
４４：第一接続部、
４４１：第二突起部、
４４３：スリット、
４６：弾性片部、
４８：第一係合部、
５０：蓋、
５２：第二接続部、
５４：第二係合部、
５６：穿孔、
Ｐ１：閉合位置、
Ｐ２：開放位置
【図１】
0003175462.tif 000003
【図２】
0003175462.tif 000004
【図３】
0003175462.tif 000005
【図４】
0003175462.tif 000006
【図５】
0003175462.tif 000007
【図６】
0003175462.tif 000008
【図７】
0003175462.tif 000009
【図８】
0003175462.tif 000010
【図９】
0003175462.tif 000011
【図１０】
0003175462.tif 000012
【手続補正書】
【提出日】平成24年3月6日(2012.3.6)
【手続補正１】
【補正対象書類名】実用新案登録請求の範囲
【補正対象項目名】全文
【補正方法】変更
【補正の内容】
【実用新案登録請求の範囲】
【請求項１】
収納空間と、前記収納空間に連絡する収納口部と、前記収納口部の一側に沿って配置された第一接続部と、前記第一接続部に形成された第一係合部とを有する箱体と、
一側に配置された第二接続部および前記第二接続部に形成された第二係合部を有する蓋と、を備え、
前記第一接続部及び前記第二接続部のうち、一方の接続部はスリットを介して弾性片部が形成されるとともに内側に二つの突起部を有する湾曲フックから構成され、他方の接続部は前記二つの突起部に係止されて前記湾曲フックの内部に回転可能に保持される回転軸から構成されることによって、前記第二接続部と前記箱体の前記第一接続部とは相互に噛み合い、
前記第一係合部及び前記第二係合部のうち、一方の係合部は前記弾性片部の末端を前記湾曲フックの内側に突出させて形成され、他方の係合部は前記回転軸の表面から突出して軸方向に形成された線状突起部であり、
前記弾性片部の末端及び前記線状突起部の相互の係合が当該弾性片部の弾性限界を超えて解除されて前記蓋の前記第二係合部と前記箱体の前記第一係合部とが分離するように前記湾曲フックに対し前記回転軸が回転した際、前記蓋は前記箱体に対し、閉合位置まで回転し、前記収納口部を遮蔽することができ、前記弾性片部の末端及び前記線状突起部の相互の係合が当該弾性片部の弾性限界内で維持されて前記蓋の前記第二係合部と前記箱体の前記第一係合部とが相互に当接する際、前記蓋は開放位置に固定され、前記箱体に対する回転ができないため、収納空間は開放状態に保持されるように前記湾曲フックにおける前記弾性片部の末端と、前記回転軸における前記線状突起部とが相互に配置されていることを特徴とする収納ボックス。
【請求項２】
前記箱体は、ボディー部およびキャップを有し、前記ボディー部は前記収納空間および前記収納口部を有し、前記キャップは前記ボディー部に装着され、かつ一側に前記第一接続部および前記第一係合部を有することを特徴とする請求項１に記載の収納ボックス。
【請求項３】
前記ボディー部は、さらに周りに形成された突出縁部と、前記突出縁部を陥没させて形成した欠け口とを有し、前記キャップはさらに周りに形成された拡張片部と、前記拡張片部の内側面に突出して形成された突起部とを有し、前記キャップの前記拡張片部は前記ボディー部の前記欠け口に装着され、前記キャップの前記突起部は前記ボディー部の突出縁部に係止されることを特徴とする請求項２に記載の収納ボックス。